(57)【特許請求の範囲】
【請求項１】
商品の名称と値段と印字フォーマットを示す情報と陳列場所の商品情報を含む商品情報テーブルと、
前記陳列場所ごとに印字サイズを含む陳列情報テーブルと、
前記印字フォーマットを示す情報ごとに印字フォーマットを含む印字フォーマットテーブルと、
印字指示データが入力されると、入力された印字指示データに該当する商品情報を前記商品情報テーブルから検索し、該商品情報の陳列場所に対応する前記印字サイズと、該商品情報の印字フォーマットを示す情報に対応する印字フォーマットとに基づき広告或いはラベルの印字を行う印字手段と
を備えるようにしたことを特徴とする印字システム。
【請求項２】
前記印字手段は、前記商品情報に複数の陳列場所が含まれる場合、前記商品情報に含まれる陳列場所ごとの広告又はラベルを複数分印刷することを特徴とする請求項１に記載の印字システム。
【請求項３】
前記商品情報テーブルには、更に、新規登録か既存登録かを示す登録区分情報を含めるようにし、
新規登録か既存登録かを判別し、新規登録と判定された場合には、棚札印字を行う棚札印刷手段を更に備えることを特徴とする請求項１に記載の印字システム。
【請求項４】
前記商品情報には、商品の分類コードが更に含まれ、
前記商品情報の分類コードと共に、当該分類コードごとの印字フォーマットの情報を含む分類テーブルと、
前記商品情報テーブルに前記商品ごとの印字フォーマットの設定があるかどうかを判定する判定手段と、
前記判別手段により前記商品情報テーブルに前記商品毎の印字フォーマットの設定があると判別された場合には、前記商品情報テーブルから前記商品毎の印字フォーマットを示す情報を読み込んで印字フォーマットを設定し、前記商品情報テーブルに前記商品毎の印字フォーマットを示す情報の設定がないと判別された場合には、前記分類テーブルから前記分類毎の印字フォーマットを読み込んで印字フォーマットを設定する印字フォーマット設定手段と
を更に備え、
前記印刷手段は、
前記印字フォーマット設定手段により設定された印字フォーマットに基づき広告或いはラベルの印字を行う
ことを特徴とする請求項１から請求項３のいずれかに記載の印字システム。
【発明の詳細な説明】
【技術分野】
【０００１】
本発明は、ＰＯＰ（Point Of Purchase）広告或いは価格ラベルを印字する印字システムに関する。
【背景技術】
【０００２】
スーパー等の小売店では、原産地や価格を知らせるための価格ラベルや、販売促進のためのＰＯＰ広告を印字するために、印字システムが用いられている（例えば特許文献１）。ＰＯＰ広告は、店長のお薦め品や特売品を用紙に描いて宣伝するもので、店の雰囲気、陳列場所、宣伝する商品、季節、客層等、様々な要件を考慮しながら、各商品に合ったデザインのＰＯＰ広告を作成することが要望されている。このため、従来の印字システムでは、デザインや大きさの異なるＰＯＰ広告の印字フォーマットが予め多数用意され、商品の種類や陳列場所の広さを考慮して、これらの印字フォーマットの中から、商品に最適な印字フォーマットを商品毎に設定するようにしている。
【特許文献１】特開平１１−９９７２１号公報
【発明の開示】
【発明が解決しようとする課題】
【０００３】
このような従来の印字システムでは、各商品毎にＰＯＰ広告や価格ラベルの印字フォーマットを設定しているので、店の雰囲気、陳列場所、宣伝する商品、季節、客層等、様々な要件を考慮しながら、各商品に合った最適なデザインのＰＯＰ広告を作成することができる。
【０００４】
ところが、その反面、従来の印字システムでは、商品データ毎に必ずＰＯＰ広告や価格ラベルの印字フォーマットを設定しなければならず、商品データに印字フォーマットが設定されていない状態で印字が指示されると、エラーが報知され、ＰＯＰ広告或いは価格ラベルが印字されない仕組みになっている。したがって、オペレータは、印字を行う前に商品データに印字フォーマットの設定が正しくされているか否かの確認や変更などを適宜行う必要があり、その作業と手間が面倒である。
【０００５】
また、従来の印字システムでは、各商品毎にＰＯＰ広告や価格ラベルの印字フォーマットを設定できるように、商品の名称、単価、値段、産地、バーコードデータ等を記載した商品情報テーブルに、各商品に対応付けて印字フォーマットが設定される。
【０００６】
ところが、スーパー等の小売店では、年間に取り扱われる商品の種類とその数は多く、またその入れ替えも頻繁である。このため、取り扱われる商品が入れ替わり、商品情報テーブルの商品データの改廃を行う毎に、印字フォーマットの設定を行う必要が生じてくる。季節商品の販売時には、商品データの改廃件数が更に増えることとなり、その度に、商品情報テーブルの商品データを入力して、各商品毎にＰＯＰ広告や価格ラベルの印字フォーマットを設定するのでは、オペレータの負担が増大し、印字フォーマットの設定忘れや変更忘れといった人為的ミスの件数は増加してしまう。このような場合、オペレータは印刷時にエラーが発生する毎に商品データの設定を確認し、印字フォーマットを正しく設定し直し、再印字を行わなければならないため、その確認と設定及び再印字といった余計な作業や印字等の処理を行わなければならなくなる。また、オペレータのミスにより、商品の種類や陳列場所の広さに合わない不適切な印字フォーマットが商品データに設定されてしまうと、印字されたＰＯＰ広告或いはラベルは使用することができないため、再設定及び再印字を行う手間と時間が掛かるうえ、消耗品の無駄が発生してしまう。
【０００８】
そこで、商品データに印字フォーマットが設定されていなければ、デフォルトの標準的な印字フォーマットで印刷を行うようにすることが考えられる。ところが、ＰＯＰ広告は、店の雰囲気、陳列場所、宣伝する商品、季節、客層等、様々な要件を考慮しながら作成する必要があり、デフォルトの標準的な印字フォーマットでは、画一的なＰＯＰ広告となり、大きな広告効果が期待できない。また、デフォルトの標準的な印字フォーマットでは、陳列場所の大きさに合わず、ＰＯＰ広告が貼れない場合も考えられる。
【０００９】
本発明は、上述の課題を鑑み、印字フォーマットの設定に要する手間を軽減できるとともに、設定作業の効率向上及び設定ミスをなくし、更に、陳列場所に適合するようなＰＯＰ広告や価格ラベルを印刷できる印字システムを提供することを目的とする。
【課題を解決するための手段】
【００１０】
上述の課題を解決するために、本発明は、商品の名称と値段と印字フォーマットを示す情報と陳列場所の商品情報を含む商品情報テーブルと、前記陳列場所ごとに印字サイズを含む陳列情報テーブルと、前記印字フォーマットを示す情報ごとに印字フォーマットを含む印字フォーマットテーブルと、印字指示データが入力されると、入力された印字指示データに該当する商品情報を前記商品情報テーブルから検索し、該商品情報の陳列場所に対応する前記印字サイズと、該商品情報の印字フォーマットを示す情報に対応する印字フォーマットとに基づき広告或いはラベルの印字を行う印字手段とを備えるようにしたことを特徴とする印字システムである。
【００１１】
上記発明において、前記印字手段は、前記商品情報に複数の陳列場所が含まれる場合、前記商品情報に含まれる陳列場所ごとの広告又はラベルを複数分印刷することを特徴とする。
【００１２】
上記発明において、商品情報テーブルには、更に、新規登録か既存登録かを示す登録区分情報を含めるようにし、新規登録か既存登録かを判別し、新規登録と判別された場合には、棚札印字を行う棚札印刷手段を更に備えることを特徴とする。
また、上記発明において、前記商品情報には、商品の分類コードが更に含まれ、前記商品情報の分類コードと共に、当該分類コードごとの印字フォーマットの情報を含む分類テーブルと、前記商品情報テーブルに前記商品ごとの印字フォーマットの設定があるかどうかを判定する判定手段と、前記判別手段により前記商品情報テーブルに前記商品毎の印字フォーマットの設定があると判別された場合には、前記商品情報テーブルから前記商品毎の印字フォーマットを示す情報を読み込んで印字フォーマットを設定し、前記商品情報テーブルに前記商品毎の印字フォーマットを示す情報の設定がないと判別された場合には、前記分類テーブルから前記分類毎の印字フォーマットを読み込んで印字フォーマットを設定する印字フォーマット設定手段とを更に備え、前記印刷手段は、前記印字フォーマット設定手段により設定された印字フォーマットに基づき広告或いはラベルの印字を行うことを特徴とする。
【発明の効果】
【００１４】
本発明によれば、商品情報テーブルに設定される商品の陳列場所情報は、ＰＯＰ広告或いは価格ラベルを印字する際のサイズ情報が関連付けて設定されている。このため、設定されている印字フォーマットの縦横サイズを、ラベルのサイズ情報に基づき自動で伸縮変倍して印字を行うことができる。これにより商品が陳列される場所の広さで必要とされる大きさでＰＯＰ広告或いは価格ラベルを印字することができる。また、印字内容が同じでありサイズ違いの複数の印字フォーマットを登録記憶させる必要がないため、印字システムのメモリ容量を削減することが実現できる。
【００１５】
また、本発明によれば、商品情報テーブルに複数の陳列場所情報を具備しているので、同一商品を広さの違う複数の陳列場所に陳列し同一企画で販売する場合、陳列場所情報に陳列場所の数分設定することにより、陳列場所の広さに合わせた大きさの違う同一企画のＰＯＰ広告或いは価格ラベルを一度に複数枚印字することができる。
【００１６】
また、本発明によれば、商品情報テーブルが新規に登録された場合、従業員が使用する使用目的が異なる棚札とＰＯＰ広告あるいは価格ラベルとを合わせて印字することができる。これにより、商品陳列とＰＯＰ広告或いは価格ラベルの掲示又は貼付と共に、従業員が受発注で使用する棚札も同一作業の中で印字することができ、効率の良い印字と作業を提供することができる。
また、本発明によれば、商品情報テーブルに商品毎の印字フォーマットが設定され、分類テーブルに分類毎の印字フォーマットが設定され、商品情報テーブルに印字フォーマットの設定がある場合には、商品情報テーブルに設定された印字フォーマットを優先して用いてＰＯＰ広告或いは価格ラベルの印字を行い、商品情報テーブルに印字フォーマットの設定がない場合には、分類テーブルに設定された印字フォーマットを用いてＰＯＰ広告或いは価格ラベルの印字を行っている。これにより、オペレータの設定忘れや設定ミスにより商品毎に印字フォーマットが設定されていなかったとしても、分類テーブルに印字フォーマットが設定されていれば、エラーを報知させることなく、ＰＯＰ広告或いは価格ラベルの印字を行うことができる。
【発明を実施するための最良の形態】
【００１７】
以下、本発明の実施の形態について図面を参照しながら説明する。本発明の実施形態の印字システムは、スーパー等の小売店で、ＰＯＰ広告や価格ラベル等を印字するものである。この印字システムは、図１に示すように、コントローラ１と、印字装置２と、上位コンピュータ３とを含んでいる。
【００１８】
コントローラ１は、ＰＯＰ広告や価格ラベルを印字する制御を統合して行うものである。印字装置２は、ＰＯＰ広告や価格ラベルを、印字媒体に印字するものである。コントローラ１は、ＬＡＮ(Local Area Network)４を介して、印字装置２、上位コンピュータ３に接続されている。上位コンピュータ３は、更に、インターネット等の上位ネットワーク５に接続されている。
【００１９】
コントローラ１は、図２に示すように、ＣＰＵ(Central Processing Unit)２１、ＲＯＭ(Read Only Memory)２２、ＲＡＭ(Random Access Memory)２３、記憶部２４、通信部２５、表示部２６、入力部２７、インターフェース２８を備えている。
【００２０】
ＣＰＵ２１は、ＲＯＭ２２に記憶されているプログラム、又は記憶部２４からＲＡＭ２３にロードされたプログラムに従って各種の処理を実行する。ＲＡＭ２３には、ＣＰＵ２１が各種の処理を実行する上において必要なデータなどが適宜記憶される。記憶部２４は、ＨＤＤ(Hard Disk Drive)等からなり、記憶部２４には、ＣＰＵ２１を動作させる各種のプログラムやデータが記憶されている。
【００２１】
ＣＰＵ２１、ＲＯＭ２２、ＲＡＭ２３、記憶部２４は、バス２０を介して相互に接続されている。バス２０には、更に、通信部２５、表示部２６、入力部２７が接続されている。通信部２５は、ＬＡＮ４により通信を行うためのものである。表示部２６としては、液晶ディスプレイ等が用いられる。入力部２７としては、キーボードやマウスが用いられる。また、このバス２０には、インターフェース２８が接続される。印字装置３は、ＬＡＮ４を介してコントローラ１と接続される他、このインターフェース２８を介して、コントローラ１と接続することもできる。
【００２２】
図３は、本発明の実施形態で用いられるテーブルの構成を示すものである。図３に示すように、本発明の実施形態の印字システムでは、商品情報テーブル３１と、分類テーブル３２と、登録区分テーブル３３と、陳列情報テーブル３４と、印字フォーマットテーブル３５が作成される。
【００２３】
商品情報テーブル３１は、商品名やバーコードデータ、値段等を格納するものである。すなわち、図４は、商品情報テーブルの一例を示すものである。図４に示すように、商品情報テーブル３１は、「商品コード」、「バーコード」、「品名」、「登録区分」、「分類コード」、「産地・メーカー」、「通常価格」、「特売価格」、「単価」、「計量販売区分」、「容量」、「単位」、「添加物」、「印字フォーマット」、「陳列区分」の項目を含んでいる。
【００２４】
「商品コード」の項目には、各商品を識別するための識別コードが記述される。「バーコード」の項目には、各商品に印字するバーコードが記述される。「品名」の項目には、各商品の商品名が記述される。「登録区分」の項目には、新規登録の商品か既存登録の商品かの区分が記述される。なお、「０」が新規、「１」が既存である。「分類コード」の項目には、商品の分類を示す分類コードが記述される。「産地・メーカー」の項目には、商品の産地やメーカーの名前が記述される。「通常価格」の項目には、通常価格の金額が記述される。「特売価格」の項目には、特売価格の金額が記述される。「単価」の項目には、単価の金額が記述される。「計量販売区分」の項目には、定貫（定められた重さ分入れた商品）と不定貫（計量販売）の区分が記述される。なお、「０」が定貫、「１」が不定貫である。「容量」の項目には、各商品の容量が記述される。「単位」の項目には、各商品の販売単位が記述される。「添加物」の項目には、各商品に含まれる添加物の情報が記述される。「印字フォーマット」の項目には、ＰＯＰ広告或いは価格ラベルの印字フォーマットが記述される。「陳列」の項目には、各商品を陳列する陳列場所の区分が記述される。
【００２５】
図３において、分類テーブル３２は、商品情報を分類するテーブルである。すなわち、分類テーブル３２は、図５に示すように、「分類コード」と、「分類・部門名称」と、「印字フォーマット」と、「サイズ」の項目を含んでいる。「分類コード」の項目には、商品分類のコードが記述される。「分類・部門名称」の項目には、商品分類や部門の名称が記述される。「印字フォーマット」の項目には、ＰＯＰ広告或いは価格ラベルの印字フォーマットが記述される。「サイズ」の項目には、印字するＰＯＰ広告或いは価格ラベルのサイズが記述される。
【００２６】
図３において、登録区分テーブル３３は、新規か既存かを区分するテーブルである。すなわち、登録区分テーブル３３は、図６に示すように、「登録区分」と、「棚札印字」と、「印字フォーマット」と、「サイズ」の項目を含んでいる。「登録区分」は、「０」が新規、「１」が既存である。「棚札印字」の項目は、棚札印字を行うかどうかを示している。「印字フォーマット」の項目には、棚札印字の印字フォーマットが記述される。「サイズ」の項目には、印字する棚札のサイズが記述される。
【００２７】
図３において、陳列情報テーブル３４は、陳列する場所や印字媒体を格納したテーブルである。すなわち、陳列情報テーブル３４は、図７に示すように、「陳列区分」と、「場所」と、「フェース」と、「印字サイズ縦」と、「印字サイズ横」と、「印字媒体」の項目を含んでいる。「陳列区分」の項目には、商品を陳列する陳列場所の区分コードが記述される。「場所」の項目には、商品の陳列場所の名前が記述される。「フェース」の項目には、見えるように並べられた商品の数が記述される。「印字サイズ縦」の項目には、ＰＯＰ広告或いは価格ラベルの縦方向の用紙サイズが記述される。「印字サイズ横」の項目には、ＰＯＰ広告或いは価格ラベルの横方向の用紙サイズが記述される。「印字媒体」の項目には、ＰＯＰ広告或いは価格ラベルを印字する媒体が記述される。
【００２８】
図３において、印字フォーマットテーブル３５は、印字媒体への印字フォーマットを格納したテーブルである。すなわち、印字フォーマットテーブル３５は、図８に示すように、「印字フォーマット名称」と、「基本サイズ」と、「印字項目１」〜「印字項目５」の項目を含んでいる。「基本サイズ」や「印字項目１」〜「印字項目５」には、使用フォントや印字位置が設定される。例えば、「お買得」の印字フォーマットに対応して、図９（Ａ）に示すような印字フォーマットが設定される。この印字フォーマットに従って印字を行うと、図９（Ｂ）に示すようなイメージのＰＯＰ広告或いは価格ラベルが印字される。また、例えば、棚札では、図１０（Ａ）に示すような印字フォーマットが設定される。この印字フォーマットに従って印字を行うと、図１０（Ｂ）に示すようなイメージの棚札が印字される。
【００２９】
なお、図３に示すような、商品情報テーブル３１、分類テーブル３２、登録区分テーブル３３、陳列情報テーブル３４、印字フォーマットテーブル３５は、コントローラ１内の記憶部２４に記憶しても良いし、コントローラ１に接続された他のコンピュータ、例えば上位コンピュータ３に記憶しても良い。
【００３０】
上述のように、本発明の実施形態の印字システムでは、商品情報テーブル３１と、分類テーブル３２と、登録区分テーブル３３と、陳列情報テーブル３４と、印字フォーマットテーブル３５が設けられている。そして、商品情報テーブル３１には、図４に示すように、各商品毎のＰＯＰ広告或いは価格ラベルの印字フォーマットが格納され、分類テーブル３２には、図５に示すように、商品分類毎の印字フォーマットが格納されている。
【００３１】
ＰＯＰ広告或いは価格ラベルの印字を行う際には、図４に示す商品情報テーブル３１に印字フォーマットの設定があれば、この商品情報テーブル３１に設定された印字フォーマットが優先されて、ＰＯＰ広告或いは価格ラベルの印字が行われる。商品情報テーブル３１に印字フォーマットの設定がなければ、図５に示す分類テーブル３２に設定された印字フォーマットを用いて、ＰＯＰ広告或いは価格ラベルの印字が行われる。このような印字制御について、更に、詳述する。
【００３２】
図１１は、本発明の実施形態の動作を示すフローチャートである。図１１において、ＣＰＵ２１は、上位コンピュータ３から特売など売価変更に伴いＰＯＰ広告等の印刷を指示する印字指示データ（図１７）を受け取って、この印字指示データの読み込みを行い（ステップＳ１０１）、読み込みデータがあるかどうかを判定する（ステップＳ１０２）。ステップＳ１０２で、読み込みデータがない場合（ステップＳ１０２のＮｏ）には、処理を終了する。
【００３３】
ステップＳ１０２で、読み込みデータがあると判定された場合（ステップＳ１０２のＹｅｓ）には、ＣＰＵ２１は、印字指示データの商品情報に基づき商品情報テーブル３１を検索し（ステップＳ１０３）、該当する商品情報があるかどうかを判定する（ステップＳ１０４）。
【００３４】
ステップＳ１０４で、該当する商品情報があると判定された場合（ステップＳ１０４のＹｅｓ）には、ＣＰＵ２１は、商品情報テーブル３１の「印字フォーマット」の項目に印字フォーマットの設定があるかどうかを判定する（ステップＳ１０５）。ステップＳ１０５で、商品情報テーブル３１に印字フォーマットの設定があると判定された場合（ステップＳ１０５のＹｅｓ）には、商品情報テーブル３１に設定されている印字フォーマットの読み込みが行われる（ステップＳ１０６）。
【００３５】
一方、ステップＳ１０４で、該当する商品情報がないと判定された場合（ステップＳ１０４のＮｏ）には、商品情報テーブル３１へのデータ登録が行われる。
【００３６】
そして、ＣＰＵ２１は、商品情報テーブルの分類情報に基づき分類テーブル３２を検索し（ステップＳ１０８）、分類テーブル３２に該当する分類情報があるかどうかを判定する（ステップＳ１０９）。ステップＳ１０９で、分類テーブル３２に該当する分類情報があると判定された場合（ステップＳ１０９のＹｅｓ）には、分類テーブル３２に印字フォーマットの設定があるかどうかを判定する（ステップＳ１１０）。ステップＳ１１０で、分類テーブル３２に印字フォーマットの設定があると判定された場合（ステップＳ１１０のＹｅｓ）には、分類テーブル３２に設定されている印字フォーマットの読み込みが行われる（ステップＳ１１１）。
【００３７】
ステップＳ１０９で、分類テーブル３２に該当する分類情報がないと判定された場合（ステップＳ１０９のＮｏ）、又は、ステップＳ１１０で分類テーブル３２に印字フォーマットの設定がないと判定された場合（ステップＳ１１０のＮｏ）には、代表印字フォーマットの読み込みが行われる（ステップＳ１１２）。なお、代表印字フォーマットは、印字フォーマットが設定されていない場合に使用するデフォルトの印字フォーマットであり、代表印字フォーマットとしては、どのような印字フォーマットを用いても良い。
【００３８】
ステップＳ１０６、ステップＳ１１１、ステップＳ１１２で、印字フォーマットが設定されたら、商品情報テーブル３１の「陳列区分」の項目から、ＣＰＵ２１は、陳列場所の設定があるかどうかを判定する（ステップＳ１１３）。
【００３９】
陳列場所の設定があると判定された場合（ステップＳ１１３のＹｅｓ）には、ＣＰＵ２１は、陳列情報テーブル３４を参照し、その陳列場所の印字サイズに対応して、印字フォーマットの印字サイズの変更を行い（ステップＳ１１４）、印字装置２に印字指令を与え、ＰＯＰ広告或いは価格ラベルの印字を行う（ステップＳ１１５）。
【００４０】
ステップＳ１１３で、陳列場所の設定がないと判定された場合（ステップＳ１１３のＮｏ）には、ＣＰＵ２１は、印字サイズの変更を行わずに、ＰＯＰ広告或いは価格ラベルの印字を行う（ステップＳ１１５）。
【００４１】
他の陳列場所の設定があるかどうかを判定し（ステップＳ１１６）、他の陳列場所の設定があると判定された場合（ステップＳ１１６のＹｅｓ）には、ステップＳ１１４に戻り、ＰＯＰ広告或いは価格ラベルの印字処理を繰り返す。
【００４２】
ステップＳ１１６で、他の陳列場所の設定がないと判定された場合（ステップＳ１１６のＮｏ）には、ＣＰＵ２１は、商品情報テーブル３１の「登録区分」の項目を参照して、新規登録かどうかを判定する（ステップＳ１１７）。
【００４３】
ステップＳ１１７で新規登録であると判定されたら（「登録区分」の項目が「０」）、ＣＰＵ２１は印字装置２に印字指令を与え、棚札の印字を行う（ステップＳ１１８）。なお、棚札印字は、図６に示す登録区分テーブル３３の「印字フォーマット」の項目に記載されている印字フォーマットに基づいて行われる。棚札印字を行ったら、ＣＰＵ２１は、「登録区分」の項目を既知登録（「登録区分」の項目を「１」）に設定して（ステップＳ１１９）、ステップＳ１０１にリターンする。
【００４４】
ステップＳ１１７で新規登録でないと判定されたら（「登録区分」の項目が「１」）、棚札の印字は行わずに、ステップＳ１０１にリターンする。
【００４５】
次に、図４の商品情報テーブル３１に記載されたように商品登録が行われた場合の印字について、上述のフローチャートを参照しながら、具体的に説明する。
【００４６】
＜商品コード「０００００１」＞
先ず、図４において、商品コード「０００００１」の商品についてのＰＯＰ広告或いは価格ラベルの印字を行う場合につて説明する。ステップＳ１０１で、商品コード「０００００１」の商品についての印字指示データが読み込まれ、ステップＳ１０２で読み込みデータがあると判定され、ステップＳ１０３で商品コード「０００００１」の商品情報が検索される。
【００４７】
商品コード「０００００１」に該当する商品情報は商品情報テーブル３１にあるので、ステップＳ１０４で該当する商品情報があると判定される。そして、ステップＳ１０５で、商品情報テーブル３１に印字フォーマットがあるかどうかが判定される。
【００４８】
商品情報テーブル３１では、商品コード「０００００１」の「印字フォーマット」の項目は「空」になっているので、ステップＳ１０５では、印字フォーマットはないと判定される。ここでいう「空」とは、データが設定されていないことを意味しており、スペース又はヌルなどを用いること以外にも、これと同じ意味を持たせるものであればいずれの方法を用いてもよい。
【００４９】
ステップＳ１０５で、印字フォーマットがないと判定されると、ステップＳ１０８で分類テーブル３２が検索される。そして、ステップＳ１０９で、該当する分類コードがあるかどうかが判定される。図４に示すように、商品コード「０００００１」の「分類コード」の項目は「０１」になっており、この分類コード「０１」は、図５に示す分類テーブル３２に存在している。したがって、ステップＳ１０９では、該当する分類コードがあると判定される。
【００５０】
ステップＳ１０９で、該当する分類コードがあると判定された場合には、ステップＳ１１０で、印字フォーマットの設定があるかどうかが判定される。図５に示す分類テーブル３２では、分類コード「０１」の印字フォーマットとして、「お買得」が設定されており、分類テーブル３２に印字フォーマットが存在している。したがって、ステップＳ１１０では、印字フォーマットの設定があると判定される。ステップＳ１１０で、印字フォーマットの設定があると判定された場合には、ステップＳ１１１で、分類テーブル３２印字フォーマットの読み込みが行われる。
【００５１】
ステップＳ１１１で、印字フォーマットの読み込みが行われたら、ステップＳ１１３で、陳列場所の設定があるかどうかが判定される。図４に示す商品情報テーブル３１では、商品コード「０００００１」の「陳列区分」の項目は、「１」、「２」になっている。したがって、ステップＳ１１３では、陳列場所の設定があると判定される。
【００５２】
ステップＳ１１３で、陳列場所の設定があると判定されると、ステップＳ１１４で、この陳列場所の情報により、印字フォーマットの印字サイズが変更される。このとき、陳列区分「１」に設定されており、陳列区分「１」の印字媒体は、図７に示す陳列情報テーブル３４からＢ４用紙である。これに対して、ステップＳ１１０で読み込まれた「お買得」の印字フォーマットでは、図８に示す印字フォーマットテーブル３５から、基本サイズはＢ４版である。よって、「お買得」の印字フォーマットと基本サイズとは等しい。このため、この場合には、印字サイズの変更は行われない。
【００５３】
ステップＳ１１４で印字サイズが設定されたら、ステップＳ１１５で、ＰＯＰ広告或いは価格ラベルの印字が行われる。この場合、設定される印字フォーマットは「お買得」であるから、図８に示す印字フォーマットテーブル３５の「お買得」の設定フォーマットに従って、ＰＯＰ広告或いは価格ラベルが印字される。
【００５４】
そして、ステップＳ１１６で、他の陳列場所設定があるかどうかが判定される。商品情報テーブル３１では、商品コード「０００００１」の「陳列」の項目は２つあり、「１」、「２」になっているので、他の陳列場所設定があると判定される。ステップＳ１１６で、他の陳列場所設定があると判定されると、ステップＳ１１４に戻り、印字サイズが変更される。
【００５５】
次の陳列区分は「２」に設定されている。陳列区分「２」の印字媒体は、図７に示す陳列情報テーブル３４から、Ｂ８用紙である。これに対して、ステップＳ１１０で読み込まれた印字フォーマットは、図８に示す印字フォーマットテーブル３５から、「お買得」の印字フォーマットでは、基本サイズはＢ４版である。この場合には、陳列場所の印字サイズに適合するように、その大きさがＢ８版に縮小される。
【００５６】
そして、ステップＳ１１６で、他の陳列場所設定があるかどうかが判定される。図４に示す商品情報テーブル３１では、商品コード「０００００１」の「陳列」の項目は「１」と「２」であり、２つのＰＯＰ広告或いは価格ラベルが既に印字されている。したがって、他の陳列場所設定はないと判定される。
【００５７】
ステップＳ１１６で、他の陳列場所設定がないと判定されると、ステップＳ１１７で、新規登録データかどうかが判定される。図４に示す商品情報テーブル３１では、商品コード「０００００１」の「登録区分」の項目は「１」になっており、既存の登録データである。したがって、新規登録データではないと判定される。
【００５８】
ステップＳ１１７で、新規登録データではないと判定されると、ステップＳ１０１にリターンされる。
【００５９】
以上のように、商品コード「０００００１」についての印字を行うと、図１２に示すように、「お買得」の印字フォーマット１０１（基本サイズＢ４）を使って、Ｂ４版のＰＯＰ広告１０２と、Ｂ８版に縮小されたＰＯＰ広告１０３とが印字されることになる。
【００６０】
＜商品コード「０００００２」＞
次に、商品コード「０００００２」の商品についてのＰＯＰ広告或いは価格ラベルの印字を行う場合について説明する。ステップＳ１０１で、商品コード「０００００２」の商品についての印字指示データが読み込まれ、ステップＳ１０２で読み込みデータがあると判定され、ステップＳ１０３で商品コード「０００００２」の商品が検索される。
【００６１】
商品コード「０００００２」に該当する商品情報は図４に示す商品情報テーブル３１にあるので、ステップＳ１０４で該当する商品情報があると判定される。そして、ステップＳ１０５で、商品情報テーブル３１に印字フォーマットがあるかどうかが判定される。
【００６２】
商品情報テーブル３１では、図４に示すように、商品コード「０００００２」の「印字フォーマット」の項目は「空」になっているので、ステップＳ１０５では、印字フォーマットはないと判定される。
【００６３】
ステップＳ１０５で、印字フォーマットがないと判定されると、ステップＳ１０８で分類テーブル３２が検索される。そして、ステップＳ１０９で、該当する分類コードがあるかどうかが判定される。図４に示すように、商品コード「０００００２」の「分類コード」の項目は「０１」になっており、この分類コード「０１」は、図５に示す分類テーブル３２に存在している。したがって、ステップＳ１０５では、該当する分類コードがあると判定される。
【００６４】
ステップＳ１０９で、該当する分類コードがあると判定された場合には、ステップＳ１１０で、印字フォーマットの設定があるかどうかが判定される。分類テーブル３２では、分類コード「０１」の印字フォーマットとして、「お買得」が設定されている。したがって、ステップＳ１１０では、印字フォーマットの設定があると判定される。ステップＳ１１０で、印字フォーマットがあると判定された場合には、ステップＳ１１１で、印字フォーマットの読み込みが行われる。
【００６５】
ステップＳ１１１で、印字フォーマットの読み込みが行われたら、ステップＳ１１３で、陳列場所の設定があるかどうかが判定される。商品情報テーブル３１では、図４に示すように、商品コード「０００００２」の「陳列区分」の項目は「空」、「２」になっている。したがって、ステップＳ１１３では、陳列場所の設定があると判定される。
【００６６】
ステップＳ１１３で、陳列場所の設定があると判定されると、ステップＳ１１４で、この陳列場所の情報により、印字フォーマットの印字サイズが変更される。このとき、陳列区分は「２」になっており、図７に示す陳列情報テーブル３４から、陳列区分「２」の印字媒体は、Ｂ８用紙である。これに対して、「お買得」の印字フォーマットでは、図８に示すように、基本サイズはＢ４版である。したがって、この場合には、Ｂ４版からＢ８版へのサイズの変更が行われる。
【００６７】
ステップＳ１１４で印字サイズが設定されたら、ステップＳ１１５で、ＰＯＰ広告或いは価格ラベルが印字される。そして、ステップＳ１１６で、他の陳列場所設定があるかどうかが判定される。商品情報テーブル３１では、図４に示すように、商品コード「０００００２」の「陳列」の項目は、「空」、「２」になっているので、他の陳列場所設定はないと判定される。
【００６８】
ステップＳ１１６で、他の陳列場所設定はないと判定されると、ステップＳ１１７で、新規登録データかどうかが判定される。商品情報テーブル３１では、図４に示すように、商品コード「０００００２」の「登録区分」の項目は「１」になっており、既存の登録データである。したがって、新規登録データではないと判定される。
【００６９】
ステップＳ１１７で、新規登録データではないと判定されると、ステップＳ１０１にリターンされる。
【００７０】
以上のように、商品コード「０００００２」についての印字を行うと、図１３に示すように、「お買得」の印字フォーマット１１１（基本サイズＢ４）を使って、Ｂ８版に縮小されたＰＯＰ広告１１２が印字されることになる。
【００７１】
＜商品コード「０００００３」＞
次に、商品コード「０００００３」の商品についてのＰＯＰ広告或いは価格ラベルの印字を行う場合について説明する。ステップＳ１０１で、商品コード「０００００３」の商品についての印字指示データが読み込まれ、ステップＳ１０２で読み込みデータがあると判定され、ステップＳ１０３で商品コード「０００００３」の商品が検索される。
【００７２】
商品コード「０００００３」に該当する商品情報は商品情報テーブル３１にあるので、ステップＳ１０４で該当する商品情報があると判定される。そして、ステップＳ１０５で、商品情報テーブル３１に印字フォーマットがあるかどうかが判定される。
【００７３】
商品情報テーブル３１では、図４に示すように、商品コード「０００００３」の「印字フォーマット」の項目は「店長お勧め」になっているので、ステップＳ１０５では、印字フォーマットがあると判定される。
【００７４】
ステップＳ１０５で、印字フォーマットがあると判定されると、ステップＳ１０６で、この印字フォーマットの読み込みが行われる。図５に示すように、商品コード「０００００３」の「印字フォーマット」の項目は「店長お勧め」なので、印字フォーマットとして、「店長お勧め」に設定される。
【００７５】
ステップＳ１０６で、印字フォーマットの読み込みが行われたら、ステップＳ１１３で、陳列場所の設定があるかどうかが判定される。商品情報テーブル３１では、図４に示すように、商品コード「０００００３」の「陳列区分」の項目は「空」、「３」になっている。したがって、ステップＳ１１３では、陳列場所の設定があると判定される。
【００７６】
ステップＳ１１３で、陳列場所の設定があると判定されると、ステップＳ１１４で、この陳列場所の情報により、印字フォーマットの印字サイズが変更される。このとき、陳列区分は「３」になっており、図７に示す陳列情報テーブル３４から、陳列区分「３」の印字媒体は、Ｂ９用紙である。これに対して、「店長お勧め」の印字フォーマットでは、図８に示す印字フォーマットテーブル３５から、基本サイズはＢ５版である。したがって、この場合には、Ｂ５版からＢ９版に印字サイズの変更が行われる。
【００７７】
ステップＳ１１４で印字サイズが設定されたら、ステップＳ１１５で、ＰＯＰ広告或いは価格ラベルが印字される。そして、ステップＳ１１６で、他の陳列場所設定があるかどうかが判定される。商品情報テーブル３１では、商品コード「０００００３」の「陳列」の項目は、「空」、「３」になっているので、他の陳列場所設定はないと判定される。
【００７８】
ステップＳ１１６で、他の陳列場所設定はないと判定されると、ステップＳ１１７で、新規登録データかどうかが判定される。商品情報テーブル３１では、図４に示すように、商品コード「０００００３」の「登録区分」の項目は「１」になっており、既存の登録データである。したがって、新規登録データではないと判定される。
【００７９】
ステップＳ１１７で、新規登録データではないと判定されると、ステップＳ１０１にリターンされる。
【００８０】
以上のように、商品コード「０００００３」についての印字を行うと、図１４に示すように、「店長お勧め」の印字フォーマット１２１（基本サイズＢ５）を使って、Ｂ９版に縮小されたＰＯＰ広告１２２が印字されることになる。
【００８１】
＜商品コード「０００００４」＞
次に、商品コード「０００００４」の商品についてのＰＯＰ広告或いは価格ラベルの印字を行う場合について説明する。ステップＳ１０１で、商品コード「０００００４」の商品についての印字指示データが読み込まれ、ステップＳ１０２で読み込みデータがあると判定され、ステップＳ１０３で商品コード「０００００４」の商品が検索される。
【００８２】
商品コード「０００００４」に該当する商品情報は商品情報テーブル３１にあるので、ステップＳ１０４で該当する商品情報があると判定される。そして、ステップＳ１０５で、商品情報テーブル３１に印字フォーマットがあるかどうかが判定される。
【００８３】
商品情報テーブル３１では、図４に示すように、商品コード「０００００４」の「印字フォーマット」の項目は「空」になっているので、ステップＳ１０５では、印字フォーマットはないと判定される。
【００８４】
ステップＳ１０５で、印字フォーマットがないと判定されると、ステップＳ１０８で分類テーブル３２が検索される。そして、ステップＳ１０９で、該当する分類コードがあるかどうかが判定される。図４に示すように、商品コード「０００００４」の「分類コード」の項目は「０２」になっており、この分類コード「０２」は、分類テーブル３２に存在している。したがって、ステップＳ１０５では、該当する分類コードがあると判定される。
【００８５】
ステップＳ１０９で、該当する分類コードがあると判定された場合には、ステップＳ１１０で、印字フォーマットの設定があるかどうかが判定される。分類テーブル３２では、図５に示すように、分類コード「０２」の印字フォーマットとして、「月間特売」が設定されている。したがって、ステップＳ１１０では、印字フォーマットの設定があると判定される。
【００８６】
ステップＳ１１０で、印字フォーマットがあると判定された場合には、ステップＳ１１１で、印字フォーマットの読み込みが行われる。ステップＳ１１１で、印字フォーマットの読み込みが行われたら、ステップＳ１１３で、陳列場所の設定があるかどうかが判定される。商品情報テーブル３１では、図４に示すように、商品コード「０００００４」の「陳列区分」の項目は「空」、「空」になっている。したがって、ステップＳ１１３では、陳列場所の設定がないと判定される。
【００８７】
ステップＳ１１３で、陳列場所の設定がないと判定されると、印字サイズの変更は行われず、ステップＳ１１５で、ＰＯＰ広告或いは価格ラベルが印字される。そして、ステップＳ１１６で、他の陳列場所設定があるかどうかが判定される。商品情報テーブル３１では、商品コード「０００００４」の「陳列」の項目は、「空」、「空」になっているので、他の陳列場所設定はないと判定される。
【００８８】
ステップＳ１１６で、他の陳列場所設定はないと判定されると、ステップＳ１１７で、新規登録データかどうかが判定される。商品情報テーブル３１では、図４に示すように、商品コード「０００００４」の「登録区分」の項目は「０」になっており、新規の登録データである。したがって、新規登録データであると判定される。
【００８９】
ステップＳ１１７で、新規登録データであると判定されると、ステップＳ１１８で、登録区分テーブルにより、棚札印字の印字フォーマットが設定され、この印字フォーマットにより、棚札の印字が行われる。
【００９０】
棚札の印字が終了したら、ステップＳ１１９で、「登録区分」の項目が「０」から「１」に変更され、登録区分が「既存」に変更される。そして、ステップＳ１０１にリターンされる。
【００９１】
以上のように、商品コード「０００００４」についての印字を行うと、図１５に示すように、「月間特売」の印字フォーマット１３１（基本サイズＢ５）を使って、等倍のＰＯＰ広告１３２が印字されることになる。また、Ｂ１０版の棚札１３３が印字されることになる。
【００９２】
＜商品コード「０００００５」＞
次に、商品コード「０００００５」の商品についてのＰＯＰ広告或いは価格ラベルの印字を行う場合について説明する。ステップＳ１０１で、商品コード「０００００５」の商品についての印字指示データが読み込まれ、ステップＳ１０２で読み込みデータがあると判定され、ステップＳ１０３で商品コード「０００００５」の商品が検索される。
【００９３】
商品コード「０００００５」に該当する商品情報は商品情報テーブル３１にあるので、ステップＳ１０４で該当する商品情報があると判定される。そして、ステップＳ１０５で、商品情報テーブル３１に印字フォーマットがあるかどうかが判定される。
【００９４】
商品情報テーブル３１では、図４に示すように、商品コード「０００００５」の「印字フォーマット」の項目は「産地直送」になっているので、ステップＳ１０５では、印字フォーマットがあると判定される。
【００９５】
ステップＳ１０５で、印字フォーマットがあると判定されると、ステップＳ１０６で、この印字フォーマットの読み込みが行われる。図４に示すように、商品コード「０００００５」の「印字フォーマット」の項目は「産地直送」なので、印字フォーマットとして、「産地直送」に設定される。
【００９６】
ステップＳ１０６で、印字フォーマットの読み込みが行われたら、ステップＳ１１３で、陳列場所の設定があるかどうかが判定される。商品情報テーブル３１では、商品コード「０００００５」の「陳列区分」の項目は「空」、「４」になっている。したがって、ステップＳ１１３では、陳列場所の設定があると判定される。
【００９７】
ステップＳ１１３で、陳列場所の設定があると判定されると、ステップＳ１１４で、この陳列場所の情報により、印字フォーマットの印字サイズが変更される。このとき、陳列区分は「４」となっており、図７に示す陳列情報テーブル３４から、陳列区分「４」の印字媒体は、（４０ｍｍ×６０ｍｍ）の任意のラベルである。これに対して、「産地直送」の印字フォーマットでは、図８に示す印字フォーマットテーブル３５から、基本サイズはＢ５版である。この場合には、（４０ｍｍ×６０ｍｍ）任意ラベルの印字サイズへの変更が行われる。
【００９８】
ステップＳ１１４で印字サイズが設定されたら、ステップＳ１１５で、ＰＯＰ広告或いは価格ラベルが印字される。そして、ステップＳ１１６で、他の陳列場所設定があるかどうかが判定される。商品情報テーブル３１では、図４に示すように、商品コード「０００００５」の「陳列」の項目は、「空」、「４」になっているので、他の陳列場所設定はないと判定される。
【００９９】
ステップＳ１１６で、他の陳列場所設定はないと判定されると、ステップＳ１１７で、新規登録データかどうかが判定される。商品情報テーブル３１では、図４に示すように、商品コード「０００００５」の「登録区分」の項目は「１」になっており、既存の登録データである。したがって、新規登録データではないと判定される。
【０１００】
ステップＳ１１７で、新規登録データではないと判定されると、ステップＳ１０１にリターンされる。
【０１０１】
以上のように、商品コード「０００００５」についての印刷を行うと、図１６に示すように、「産地直送」の印字フォーマット１４１（基本サイズＢ５）を使って、（４０ｍｍ×６０ｍｍ）のラベル１４２が印刷されることになる。
【０１０２】
以上説明したように、本発明の実施の形態では、商品情報テーブル３１に商品毎の印字フォーマットが設定され、分類テーブル３２に分類毎の印字フォーマットが設定されている。商品情報テーブル３１に印字フォーマットの設定がある場合には、商品情報テーブル３１に設定された印字フォーマットを優先して用いてＰＯＰ広告或いは価格ラベルの印字を行い、商品情報テーブル３１に印字フォーマットの設定がない場合には、分類テーブル３２に設定された印字フォーマットを用いてＰＯＰ広告或いは価格ラベルの印字を行っている。これにより、オペレータの設定忘れや設定ミスにより商品情報テーブル３１毎に印字フォーマットが設定されていなかったとしても、分類テーブル３２に印字フォーマットの設定があれば、エラーを報知させることなく、ＰＯＰ広告或いは価格ラベルの印字を行うことができる。
【０１０３】
また、本発明の実施形態では、商品情報テーブル３１に設定される商品の陳列場所情報は、ＰＯＰ広告或いは価格ラベルを印字する際のサイズ情報が関連付けて設定されている。このため、設定されている印字フォーマットの縦横サイズを、ＰＯＰ広告あるいは価格ラベルのサイズ情報に基づき自動で伸縮変倍して印字を行うことができる。これにより商品が陳列される場所の広さで必要とされる大きさでＰＯＰ広告或いは価格ラベルを印字することができる。また、予め様々な大きさの印字フォーマットを登録記憶させておく必要がなく、またオペレータの経験に頼り商品の陳列場所の広さに応じた印字フォーマットの設定や変更の必要がなくなる。したがって、商品の陳列場所の広さに合わない不適切な印字フォーマットが仮に設定されていたとしても、ＰＯＰ広告或いは価格ラベルを陳列場所に合わせた適切な大きさで印字することができ、オペレータの設定ミスによる時間と消耗品の無駄を発生させることがない。更に、印字内容が同じでありサイズ違いの複数の印字フォーマットを登録記憶させる必要がないため、印字システムのメモリ容量を削減することが実現できる。
【０１０４】
また、商品情報テーブル３１に複数の陳列場所情報を具備しているので、同一商品を広さの違う複数の陳列場所に陳列し同一企画で販売する場合、陳列場所情報に陳列場所の数分設定することにより、陳列場所の広さに合わせた大きさの違う同一企画のＰＯＰ広告或いは価格ラベルを一度に複数枚印字することができる。例えば、特売商品を棚へ陳列し、且つ棚エンド（陳列棚の最終端）の両方に商品を陳列して販売するような場合、販売促進ツールであるＰＯＰ広告或いは価格ラベルは、同一企画の異なった２種類の大きさを用いることが一般的で、このような場合、商品情報テーブルの陳列場所情報を複数設定することにより、商品が隠れないように小さな棚陳列用サイズのＰＯＰ広告或いは価格ラベルと、目立つ大きな棚エンド陳列用サイズのＰＯＰ広告或いは価格ラベルを印字することができるので、設定作業の効率の向上及び設定ミスをなくすことができる。
【０１０５】
また、本発明の実施形態では、複数の商品情報テーブル３１を分類する分類テーブル３２の印字フォーマット、或いは商品情報テーブル３１の印字フォーマットの設定に従いＰＯＰ広告或いは価格ラベルの印字を行うが、商品情報テーブル３１が新規に登録された場合、従業員が使用する（陳列棚に貼付し発注や棚卸で用いる）使用目的が異なる印字フォーマット（棚札）或いはラベルを合わせて印字することができる。これにより、商品陳列とＰＯＰ広告或いは価格ラベルの掲示又は貼付と伴に、従業員が受発注で使用する棚札も同一作業の中で印字するので、間違いなく掲示又は貼付することができ、印字設定操作や印字忘れがないので効率の良い印字と作業を提供することができる。
【０１０６】
なお、上述の実施形態では紙媒体に印字したＰＯＰ広告或いはラベルを例として記載しているが、熱可逆性を持たせ媒体（リライトカード）などを用いたものでも良い。
【０１０７】
また、本実施形態では、商品情報テーブルに複数既定された陳列場所情報と印字フォーマットを用いて様々な大きさのＰＯＰ広告或いはラベルをまとめて印刷しているが、大きさに応じてプリンタ毎に印刷データを振り分けて印刷を行っても良い。
【０１０８】
また、本実施形態の印字システムは、ＰＯＰ広告等を印刷するためにコントローラ１と印字装置２と上位コンピュータ３とからシステムを構成しているが、さらに、重量を計量しラベルを印字する計量装置などを組み合わせてシステムを構成しても良い。
【０１０９】
本発明は、上述した実施形態に限定されるものではなく、本発明の要旨を逸脱しない範囲内で様々な変形や応用が可能である。
【図面の簡単な説明】
【０１１０】
【図１】本発明の実施形態の印字システムの構成を示すブロック図である。
【図２】本発明の実施形態の印字システムにおけるコントローラの構成を示すブロック図である。
【図３】本発明の実施形態の印字システムにおいて使用されるテーブルの説明図である。
【図４】本発明の実施形態の印字システムにおける商品情報テーブルの説明図である。
【図５】本発明の実施形態の印字システムにおける分類テーブルの説明図である。
【図６】本発明の実施形態の印字システムにおける登録区分テーブルの説明図である。
【図７】本発明の実施形態の印字システムにおける陳列情報テーブルの説明図である。
【図８】本発明の実施形態の印字システムにおける印字フォーマットテーブルの説明図である。
【図９】本発明の実施形態の印字システムにおけるＰＯＰ広告或いは価格ラベルの印字フォーマットの説明図である。
【図１０】本発明の実施形態の印字システムにおける棚札の印字フォーマットの説明図である。
【図１１】本発明の実施形態の印字システムにおける印字処理の説明に用いるフローチャートである。
【図１２】本発明の実施形態の印字システムを使用した場合の印字例の説明図である。
【図１３】本発明の実施形態の印字システムを使用した場合の印字例の説明図である。
【図１４】本発明の実施形態の印字システムを使用した場合の印字例の説明図である。
【図１５】本発明の実施形態の印字システムを使用した場合の印字例の説明図である。
【図１６】本発明の実施形態の印字システムを使用した場合の印字例の説明図である。
【図１７】本発明の実施形態の印字システムにおける印字指示データの説明図である。
【符号の説明】
【０１１１】
１：コントローラ
２：印字装置
４：ＬＡＮ
５：上位ネットワーク
２０：バス
２１：ＣＰＵ
２２：ＲＯＭ
２３：ＲＡＭ
２４：記憶部
２５：通信部
２６：表示部
２７：入力部
２８：インターフェース
３１：商品情報テーブル
３２：分類テーブル
３３：登録区分テーブル
３４：陳列情報テーブル
３５：印字フォーマットテーブル
【図１】
0005050808.tif 000002
【図２】
0005050808.tif 000003
【図３】
0005050808.tif 000004
【図４】
0005050808.tif 000005
【図５】
0005050808.tif 000006
【図６】
0005050808.tif 000007
【図７】
0005050808.tif 000008
【図８】
0005050808.tif 000009
【図９】
0005050808.tif 000010
【図１０】
0005050808.tif 000011
【図１１】
0005050808.tif 000012
【図１２】
0005050808.tif 000013
【図１３】
0005050808.tif 000014
【図１４】
0005050808.tif 000015
【図１５】
0005050808.tif 000016
【図１６】
0005050808.tif 000017
【図１７】
0005050808.tif 000018